(57)【特許請求の範囲】
【請求項１】
（ａ）容器頭部と、
（ｂ）ディスク状キャップと、
（ｃ）前記容器頭部と前記ディスク状キャップとの間に並べられた蓋用細片と、を含む
、容器本体に取り付けられる容器用の蓋アセンブリであって、
前記容器頭部が、上向きに延びる壁と、前記容器本体と流体連通している出口ポートを
含む湾曲した凹部を含む上面とを有し、前記上面が、１対の平行軌道及び１対の平行な凹
部を備え、
前記ディスク状キャップが、その底面に、２対の平行レールと中央に並べられた単一レ
ールとを備え、第１対目の前記平行レールが、前記１対の平行軌道と摺動係合可能であり
、第２対目の前記平行レールが、長方形の切り込みを備え、前記中央に並べられた単一レ
ールが、弓状の断面を有するように構成されており、
前記蓋用細片が、前記蓋用細片の上面に、前記弓状の単一レールと摺動係合可能な長手
方向の凹部を備え、前記蓋用細片が、前記蓋用細片の下面に、前記１対の平行な凹部と摺
動係合可能な１対の脚部を有する遠位部分と、前記出口ポートを閉じることができるプラ
グを有する近位部分とを備え、前記蓋用細片が、前記蓋用細片の側縁部に、前記長方形の
切り込みの一端から他端にまで摺動することができる１対の耳を備え、
前記ディスク状キャップが、開位置から、前記容器頭部の上面上を摺動する場合、前記
単一レールの前記弓状の断面により、前記蓋用細片が、前記プラグが前記出口ポートを閉
じる位置まで、水平に摺動し、かつ下向きに垂直に旋回し、前記蓋用細片の通路を反対方
向に引き返すことが可能な、
蓋アセンブリ。
【請求項２】
前記容器頭部が、前記上向きに延びる壁と前記上面との間に定められる縁部を有し、前
記縁部が、前記壁の一部に下向きに延びるＶ字状部を有する、請求項１に記載の蓋アセン
ブリ。
【請求項３】
前記ディスク状キャップが、前記ディスク状キャップの周辺部に隆起部を有する、請求
項１又は２に記載の蓋アセンブリ。
【請求項４】
前記ディスク状キャップが、前記ディスク状キャップの周辺部に隆起部を有し、前記隆起部が、前記ディスク状キャップが、前記容器頭部の前記Ｖ字状部により水平方向に、親指を使って簡便に摺動することができるように、前記蓋アセンブリと同じ側で、前記Ｖ字状部の真後ろに配置されている、請求項２に記載の蓋アセンブリ。
【請求項５】
前記縁部の周囲の少なくとも５０％が、実質的に水平な高さにある、請求項２または４のいずれか一項に記載の蓋アセンブリ。
【請求項６】
前記Ｖ字状部が、前記縁部の周囲の５０％未満、好ましくは４０％未満を構成する
、請求項２、４および５のいずれか一項に記載の蓋アセンブリ。
【請求項７】
前記中央に並べられた単一レールが、前記ディスク状キャップの直径の５０％を超えず
に延びる、請求項１〜６のいずれか一項に記載の蓋アセンブリ。
【請求項８】
前記長方形の切り込みが、前記第２対目の平行レールの長さの５０％を超えずに延びる
、請求項１〜７のいずれか一項に記載の蓋アセンブリ。
【請求項９】
前記単一レールの長さが、前記長方形の切り込みの長さより長い、請求項１〜８のいず
れか一項に記載の蓋アセンブリ。
【請求項１０】
前記容器頭部が、ＰＰ又はＨＤＰＥから選択される硬質プラスチックで作られる、請求
項１〜９のいずれか一項に記載の蓋アセンブリ。
【請求項１１】
前記ディスク状キャップが、ＰＰ、ＨＤＰＥ、又はＬＤＰＥから選択される硬質プラス
チックで作られる、請求項１〜１０のいずれか一項に記載の蓋アセンブリ。
【請求項１２】
前記蓋用細片が、ポリプロピレンで充填されたガラス、ポリアミドで充填されたガラス
、又は任意のエンジニアリングプラスチックで充填されたガラスから選択される材料で作
られる、請求項１〜１１のいずれか一項に記載の蓋アセンブリ。
【請求項１３】
着脱自在に互いに係合することができるようになっている、容器本体と、請求項１〜１
２のいずれか一項に記載の蓋アセンブリとを含む容器。
【請求項１４】
前記容器本体と前記蓋アセンブリとが、スナップフィット接続を用いて、着脱自在に係
合することができる、請求項１３に記載の容器。
【請求項１５】
前記スナップフィットが、前記容器の首と前記容器頭部の下側面との間のビードアンド
スナップアセンブリを用いて具体化される、請求項１４に記載の容器。
【発明の詳細な説明】
【技術分野】
【０００１】
本発明は、容器用の蓋アセンブリ、及びその容器に関する。本発明は、より詳細には、液体製品又は粘性製品が漏れないように閉じ、最小限の労力で簡単に開閉することができ、かつトトルとして機能するように逆さにして水平面に安定的に置くこともできる蓋アセンブリに関する。
【背景技術】
【０００２】
容器には、様々な大きさ及び形状のものがある。例えばホームケア、パーソナルケア、及び食品用の製品のような家庭使用向けの製品用の容器は、大きさが比較的小さく、例えば数ミリリットルから数リットルの容量である。例えば水様性、エマルジョン状、ローション状、ジェル状、クリーム状、又は半固体状の製品のような、液体製品又は粘性製品を保存及び吐出するために使用されるこれらのカテゴリの製品は、蓋と合わせて設計される吐出ポートを必要とする。蓋は、閉位置にある場合は漏れを防ぎ、開位置にある場合は自在に吐出することができなければならない。また、蓋は、利用者が過度に押す必要がないように比較的容易に操作されなければならないが、同時に、閉位置にある蓋が原因で容器から材料が漏れてはならない。
【０００３】
いくつかのタイプの蓋が知られており、このような容器から製品を吐出するために使用されている。よく知られている蓋には、いくつかの蓋のうち、ねじ込み式、フリップトップ式、摩擦嵌合式、スナップフィット式、又はゲート付き蓋式のものがある。本発明は、ホームケア又はパーソナルケア、特に、例えばシャンプー、コンディショナー、パーソナルウォッシュリキッド、及びローションのような液体製品及び粘性製品の吐出といったパーソナルケア向けの製品を吐出するボトル用の蓋に関する。ボトルは、家庭用及び家具用のクレンジング製品の保存及び吐出のために使用される場合もある。本発明の蓋は、スライダ式であり、ディスク状素子が、容器の吐出ポートの上を両方向に摺動する。これにより、吐出ポートを開閉することができる。このようなタイプの蓋が、過去に開示されている。英国特許第１０９４５８８号明細書は、プラスチックの部分的に球面の弁部材を備える容器の蓋を開示している。この部材は、半径方向スロットに圧入され、かつ半径方向スロットに沿って摺動可能な不可欠のピンを有する。半径方向スロットは、容器上部のボスにおいて、形状が対応した部分的に球面の凹所に存在する。弁が吐出開口を閉じる場合、弁は、容器上部と略平行な位置に摺動することができ、その結果、そのピンが容器の主軸線と平行になる。弁部材は、注ぎ口として機能する。容器上部は、錫、プラスチック、又はワックスがけされた段ボールであってもよい。
【０００４】
当該技術分野においては、親指又はそれ以外の指で簡単に水平に押すだけで容易に操作することができる蓋アセンブリを提供する必要がある。このように簡単に水平に押すことにより、容器の吐出ポートが、中身を漏らすことなく確実に開閉する。また、好ましい態様では、容器の蓋アセンブリの上部が、トトルとして機能するように、逆さにして台の上部に安定的に置くことができるように構成されている。
【０００５】
トトルとは容器であり、一般に細長く、任意の通常のボトルのように、その底面を水平面に安定的に置くことができる。トトルはまた、ボトルを逆さにして、その上面を水平面に安定的に置くことができるように構成されている。このことは、容器の中身が非常に少なく、中身の残りを出すために利用者が容器を逆さにして振るのに時間が長くかかる場合に特に有用である。中身の粘度が非常に高い場合は、これを出すことが特に難しい。このような状況では、トトルは、自身の頭部に載るように置かれる。これにより、中身が容器の吐出用端部の方に集められ、この結果利用者は、過大な労力を用いることなく中身を出すことができる。
【０００６】
英国特許第１０９４５８８号明細書を含めて、従来から知られているか、又は公開された容器の蓋システムのうち、上述の望ましい利点をすべて開示しているものはない。ここでいう利点とは、容器が、ボトル又はトトルとして使用することができ、親指で簡単に水平に押すことで容易に押して開閉することができる蓋システムを有し、かつ長時間システムを使用し続けた後であっても、中身が漏れることなく容器の出口ポートが閉じられるということである。
【先行技術文献】
【特許文献】
【０００７】
【特許文献１】英国特許第１０９４５８８号明細書
【発明の概要】
【発明が解決しようとする課題】
【０００８】
したがって、本発明の目的は、親指又はそれ以外の指を使って簡単に水平移動させることで、消費者が容易に開閉することができる容器用の蓋システムを提供することである。
【０００９】
本発明の別の目的は、親指又はそれ以外の指を使って簡単に水平移動させることで、消費者が容易に開閉することができ、一方で使用後に蓋が閉じられているときはいつでも漏れを防止する容器用の蓋システムを提供することである。
【００１０】
本発明のさらに別の目的は、消費者が容易に開閉することができ、閉じている際は漏れが防止され、かつトトルとして使用することもできる容器用の蓋システムを提供することである。
【課題を解決するための手段】
【００１１】
本発明の第１の態様は、
（ａ）容器頭部と、
（ｂ）ディスク状キャップと、
（ｃ）容器頭部とディスク状キャップとの間に並べられた蓋用細片と
を含む、容器本体に取り付けられる容器用の蓋アセンブリであって、
容器頭部が、上向きに延びる壁と、容器本体と流体連通している出口ポートを含む湾曲した凹部を含む上面とを有し、上面が、１対の平行軌道及び１対の平行な凹部を備え、
ディスク状キャップが、ディスク状キャップの底面に、２対の平行レールと中央に並べられた単一レールとを備え、第１対目の平行レールが、前述の１対の平行軌道と摺動係合可能であり、第２対目の平行レールが、長方形の切り込みを備え、中央に並べられた単一レールが、弓状の断面を有するように構成されており、
蓋用細片が、蓋用細片の上面に、弓状の単一レールと摺動係合可能な長手方向の凹部を備え、蓋用細片が、蓋用細片の下面に、１対の平行な凹部と摺動係合可能な１対の脚部を有する遠位部分と、出口ポートを閉じることができるプラグを有する近位部分とを備え、蓋用細片が、蓋用細片の側縁部に、長方形の切り込みの一端から他端にまで摺動することができる１対の耳を備え、
ディスク状キャップが、開位置から、容器頭部の上面上を摺動する場合、単一レールの弓状の断面により、蓋用細片が、プラグが出口ポートを閉じる位置まで、水平に摺動し、かつ下向きに垂直に旋回し、蓋用細片の通路を反対方向に引き返すことが可能な、蓋アセンブリに関する。
【００１２】
本発明の別の態様は、着脱自在に互いに係合するのに適した容器本体と第１の態様の蓋アセンブリとを備える容器に関する。
【００１３】
ここで本発明が、非限定的で例示的な実施形態と関連して説明される。これらの実施形態は、説明される様々な特定の要素を読者が思い描くことができるようにすることが意図されており、どのようにも本発明を限定することを意図したものではない。
【図面の簡単な説明】
【００１４】
【図１】容器本体に取り付けられた蓋アセンブリを含む容器の斜視図である。
【図２】様々な部品が閉位置で適切な位置にある蓋アセンブリの側部断面図である。
【図３】ディスク状キャップ及び蓋用細片が取り外された状態の容器頭部の上面図である。
【図４】ディスク状キャップの底部の斜視図である。
【図５】蓋用細片の上部の斜視図である。
【図６】蓋用細片の側面図である。
【発明を実施するための形態】
【００１５】
これら及び他の態様、特徴、及び利点は、以下の詳細な説明、及び添付の特許請求の範囲を読むことにより、当業者に明らかになるであろう。疑義を避けるために付け加えると、本発明の一態様におけるいかなる特徴も、本発明のいかなる他の態様に利用され得る。「備える」という用語は、「含む」を意味することが意図されており、必ずしも「からなる」又は「から構成される」を意味することが意図されているものではない。言い換えれば、列挙されたステップ又は選択肢は、網羅的である必要はない。図示される実施形態、及び以下の説明に添えられる例は、本発明を明らかにすることを意図したものであり、これらの実施形態及び例自体に本発明を限定することを意図するものではないことに留意されたい。
【００１６】
動作に関する例、及び比較例における場合を除いて、又は別段の明示がある場合を除いて、材料の量、又は方法に関する条件、材料の物性、及び／又は用途を示す本明細書に記載されたすべての数は、「約」という用語によって修正されるものとして理解されるべきである。別段の定めがない限り、「ｘからｙまで」の形で表現される数値範囲は、ｘ及びｙを含むものとして理解される。特定の特徴に関して、複数の好ましい範囲が「ｘからｙまで」の形で説明される場合、別個の端点を組み合わせたすべての範囲がまた考えられると理解される。
【００１７】
本発明の蓋アセンブリの利点は、この蓋アセンブリが、軸方向に閉じることを可能にするのに適しているのと同時に、半径方向に手動で動かして閉じるのに適していることである。本発明のさらなる利点は、蓋の要素として使用される弾性部材には、低温で収縮しやすいという欠点がしばしば見受けられることである。容器本体と同様の物性を有する材料構成で作られた本発明の蓋用細片を使用して、上述の収縮に関する問題を克服することができる。
【００１８】
本発明は、容器本体に取り付けるのに適した容器用の蓋アセンブリに関する。容器は、細長いことが好ましい。容器本体も細長いことが好ましい。細長いとは、容器本体の長手方向の寸法が、横方向の寸法よりも長いことを意味する。容器本体の断面は、円形、楕円形、多角形、又は任意の他の弓形のような、いかなる適切な形状であってもよい。容器本体は、断面が容器本体の全長にわたって異なるように設計される場合もある。容器本体は、ポリマー材料で作られることが好ましく、ポリプロピレン（ＰＰ）、ポリエチレンテレフタレート（ＰＥＴ）、又は高密度ポリエチレン（ＨＤＰＥ）から選択され得る硬質プラスチックで作られることがより好ましく、ＨＤＰＥで作られることが最も好ましい。
【００１９】
蓋アセンブリは、容器頭部、ディスク状キャップ、及び容器頭部とディスク状キャップとの間に並べられた蓋用細片を含む。容器頭部は、上向きに延びる壁と、上面と、これらの間の縁部とを有する。
【００２０】
したがって、容器頭部は、逆さになったカップの形をしている。容器頭部は、その下端において、容器本体の上端と係合するのに適した断面を有することが好ましく、この断面が、その下端において、容器本体の上端の断面と同じであることがより好ましい。容器頭部は、湾曲した凹部が存在する上面を有し、湾曲した凹部は、容器本体と流体連通している出口ポートを含む。出口ポートは、凹部の最も低い位置にあることが好ましい。出口ポートは、いかなる好ましい形状であってもよく、好ましい形状とは、円形、楕円形、正方形、又は長方形であり、最も好ましい形状は円形である。容器頭部の上面には、１対の平行軌道及び１対の平行な凹部が設けられている。この１対の平行軌道は、前述の１対の凹部と共線的であり、この１対の凹部の外側に並べられていることが好ましい。容器頭部は、ポリマー製であることが好ましく、硬質プラスチックで作られることがより好ましく、ＰＰ又はＨＤＰＥのうちの１つから選択される可能性があり、ＰＰで作られることが最も好ましい。
【００２１】
ディスク状キャップは、その底面に、２対の平行レールと、中央に並べられた単一レールとを備える。上述の１対の平行レールのうち第１対目の平行レールは、容器頭部の上面に設けられた１対の平行軌道と摺動係合可能である。ディスク状キャップの底面に設けられた第２対目の平行レールには、長方形の切り込みがそれぞれ設けられている。これらのレールのそれぞれにおける長方形の切り込みは、第２対目のレールの長さの５０％を超えずに延びることが好ましい。２対の平行軌道は互いに共線的であり、第１対目の平行軌道は、第２対目の平行軌道の外側に並べられている。
【００２２】
ディスク状キャップの底面は、中央に並べられた単一レールを有し、この単一レールは、垂直な平面において弓状の断面を有するように構成されている。ディスク状キャップは、断面が実質的に円形であることが好ましい。中央に並べられたこの単一レールは、ディスク状キャップが円形の場合、ディスク状キャップの直径の５０％を超えずに延びることが好ましい。代替的な態様では、中央に並べられた単一レールは、ディスク状キャップが円形以外の形状である場合、ディスク状キャップの主要な寸法の５０％を超えずに延びる。単一レールの長さは、第２対目のレールにおける長方形の切り込みの長さより長いことがさらに好ましい。
【００２３】
蓋用細片は、ディスク状キャップと容器頭部との間に並べられている。蓋用細片は、好ましくは断面が長方形の細長い長方形の細片であることが好ましい。蓋用細片は、その上面に、ディスク状キャップの底面に設けられた弓状の単一レールと摺動係合可能な長手方向の凹部を有する。蓋用細片は、その下面の遠位端において、容器頭部に設けられた１対の平行な凹部と摺動係合可能な１対の脚部を備える。蓋用細片の長手方向の近位の他端に、容器頭部に設けられた出口ポートを閉じることができるプラグが、底面に設けられている。蓋用細片は、その側縁部に、第２対目のレールにおける長方形の切り込みの一端から他端にまで摺動することができる１対の耳を備える。蓋用細片の側縁部の１対の耳は、蓋用細片の底部に設けられた１対の脚部の隣に配置されていることが好ましい。容器頭部の出口ポートと、蓋用細片のプラグとは、両方とも実質的に円形であることが好ましい。閉位置では、プラグは、出口ポート内で同じ高さに配置されるように構成されており、これにより中身を漏らすことなく容器が閉じられる。蓋用細片は、ポリマー製であることが好ましく、ポリプロピレン、ポリアミド、又は任意のエンジニアリングプラスチックで充填されたガラスで作られていることがより好ましく、ポリアミドで作られていることが最も好ましい。
【００２４】
容器頭部の上向きに延びる壁と容器頭部の上面との間の境界線によって定められる容器頭部の縁部は、容器頭部の壁の一部に入り込むように下向きに延びるＶ字状部を有することが好ましい。ディスク状キャップを簡便に動かしやすくなるように、縁部の一部としてＶ字状部があるため、トトルのようにも機能するように容器を構成することは難しい。この問題は、縁部の周囲の好ましくは少なくとも５０％、より好ましくは少なくとも７０％を、確実に実質的に水平な高さに置くことによって克服され得る。上述の他の態様と合わせてこの態様により確実に、容器の蓋が、漏出を確実に防ぎつつ容易に開閉するのみではなく、この容器をトトルとして使用することもできるようになる。Ｖ字状部に定められるような垂直距離は、容器頭部の上向きに延びる壁における最大高さの５０％未満であることが好ましい。Ｖ字状部が縁部の周囲の５０％未満を構成することが好ましく、４０％未満であることが好ましい。さらに、Ｖ字の角度が９０度〜１５０度であることが特に好ましい。
【００２５】
ディスク状キャップは、その円周方向の端部の一部に隆起部を有することが好ましい。隆起部は、容器頭部のＶ字状部と一直線に並んで、Ｖ字状部の後ろに配置されることが好ましい。この構成では、隆起部は、Ｖ字状部の真後ろで、蓋アセンブリと同じ側に配置されており、ディスク状キャップを、容器頭部のＶ字状部を通じて水平方向に、親指を使って簡便に摺動させることができる。従来の摺動するアセンブリの蓋と比較してこのような構成には、上述の蓋アセンブリの素子により、親指で実質的に水平方向にディスクを簡単に動かせるという利点があり、これにより、利用者にとって開閉が非常に簡便になる。これと比較して、過去に開示され、使用された蓋アセンブリは、最初は水平方向に押し出されなければならず、ディスクが動くにつれて、部分的に水平にかつ部分的に垂直に、これらの間の方向に親指を押し進めていかなければならない。このため、消費者は、どちらの方向に圧力をかけるべきか確信がもてないため、必要とされる圧力よりも大きな圧力を加えなければならない。また、本発明の蓋アセンブリは、容器をトトルとして機能させるため、逆さにして水平面に安定的に置くことができるように、隆起部におけるディスク状キャップの厚さが、Ｖ字状部の底部から上述の縁部における実質的に水平な高さまでの垂直距離と好ましくは実質的に同じになるように構成されていることが好ましい。したがって、この好ましい態様では、ディスク状キャップの隆起部は、簡単な水平方向の押圧で蓋を容易に開閉することを可能にするのみではなく、縁部の少なくとも５０％が水平上にあるという好ましい態様と組み合わせて、トトルとして機能させるために逆さにして水平面に置かれることになる容器をさらに安定させることができるように、独創的に構成される。
【００２６】
ディスク状キャップは、ポリマー製であることが好ましく、ＰＰ、ＨＤＰＥ、又は低密度ポリエチレン（ＬＤＰＥ）で作られていることがより好ましく、ＰＰで作られていることが最も好ましい。ディスク状キャップは、いかなる可能性のある形状であってもよく、円形又は楕円形が好ましく、円形がより好ましい。容器本体の出口ポートは、Ｖ字状部の底部と実質的に同じ水平な高さにあることが好ましい。
【００２７】
本発明の第２の態様による容器は、前述の容器本体及び蓋アセンブリを含む。容器本体及び蓋アセンブリは、着脱自在に互いに係合するのに適していることが好ましい。このような着脱自在な係合とは、スナップフィット接続であることが好ましい。スナップフィット接続は、容器の首と容器頭部の下側面との間のビードアンドスナップアセンブリを用いて具体化される場合がある。
【００２８】
本発明に開示される容器及び蓋アセンブリは、ホームケア及びパーソナルケアに使用するための流動性の製品を吐出するのに適している。吐出され得る好ましい製品には、シャンプー、コンディショナー、パーソナルウォッシュリキッド、洗剤、ジェル、ローション、及び他の液体溶液が挙げられる。容器及び蓋アセンブリは、２５℃の際に粘度が３０００ｃｐｓ〜２５，０００ｃｐｓの範囲である流動性の製品を吐出するために使用されることが好ましい。
【００２９】
図の詳細な説明
図１は、容器本体に取り付けられた蓋アセンブリを含む容器の実施形態の斜視図である。
【００３０】
図１を参照すると、容器（２）は、容器本体（３）に取り付けられた蓋アセンブリ（１）を含む。蓋アセンブリ（１）は、容器頭部（４）及びディスク状キャップ（５）を含む。また蓋用細片（１４）が、ディスク状キャップの下に配置されているが、この図では見られない。図１に見ることができるように、容器頭部（４）は、上向きに延びる壁（６）と、上面（７）とを有する。上向きに延びる壁と上面とが交差する部分により、縁部（８）が定められる。上面には、湾曲した凹部（９）がある。縁部の一部が、壁の一部に入り込むように下向きに延び、Ｖ字状部（１２）を定める。ディスク状キャップは、円周部分に隆起部（１３）を有する。
【００３１】
図２は、様々な部品が閉位置で適切な位置にある蓋アセンブリの側部断面図である。
【００３２】
図２を参照すると、蓋用細片（１４）が、ディスク状キャップ（５）と容器頭部（４）との間に並べられている。蓋用細片が閉位置にある様子が示されている。閉位置では、プラグ（１５）が出口ポート（１６）内に同じ高さになるように配置されており、これにより容器の出口が閉じられ、したがって中身が漏れることなく容器が閉じられる。容器頭部（４）は、上面の底部に、容器頭部を容器（不図示）にスナップフィットさせるための手段（１７）を備える。
【００３３】
図３は、ディスク状キャップ及び蓋用細片が取り外された状態の容器頭部の上面図である。
【００３４】
図３を参照すると、ディスク状キャップ（５）及び蓋用細片（１４）がない状態での容器頭部の上面が示されている。上面（７）は、その湾曲した凹部（９）に出口ポート（１０）を有する。容器頭部の上面（７）には、１対の平行軌道（１１）及び１対の平行な凹部（１８）が設けられている。容器頭部の上面は、縁部（８）に囲まれている。
【００３５】
図４は、ディスク状キャップの底部の斜視図である。
【００３６】
図４を参照すると、ディスク状キャップが、その底面に、図３に示される１対の平行軌道（１１）と、摺動する構成で係合させるのに適した第１対目の平行レール（１９）を備える。第２対目の平行レール（２０）が、長方形の切り込み（２１）を有する。ディスク状キャップの底面はまた、中央に並べられた弓状の断面を有する単一レール（２２）を備える。
【００３７】
図５は蓋用細片の斜視図であり、図６は蓋用細片の側面図である。
【００３８】
図５及び図６を参照すると、蓋用細片は、細長い長方形の細片である。蓋用細片の上面には、細片の長さに沿って延びる長手方向の凹部（２３）が設けられている。蓋用細片は、側縁部に１対の耳（２５）を含む。１対の耳（２５）のうち１つのみを図５及び図６の両図に示される図に見ることができる。１対の脚部（２４）が、１対の耳の隣で、蓋用細片の底部に設けられている。図６に見ることができるように、プラグ（１５）が、蓋用細片の底部で、１対の耳及び１対の脚部より他の長手方向の端部に設けられている。
【００３９】
使用する際は、容器を開けるために、親指又はそれ以外の指で水平方向後ろに隆起部（１３）を押す。ディスク状キャップ（５）は、平行軌道（１１）と第１対目の平行レール（１９）とが摺動係合しているため、上面（７）上を後ろに摺動する。同時に、中央に並べられた弓状の断面を有する単一レール（２２）により、蓋用細片（１４）が、長手方向の凹部（２３）において後方に水平に摺動し、出口ポート（１６）から抜かれたプラグ（１５）と共に垂直に旋回する。したがって蓋用細片は、１対の脚部（２４）が容器頭部（７）の上面に設けられた１対の平行な凹部（１８）を摺動する状態で後方に移動する。この水平移動は、１対の耳（２５）の動きが、長方形の切り込み（２１）の一端と他端との間に制限されているため限定される。容器を閉じるためには、ディスク状キャップを水平方向に引き戻す。この動作によりディスク状キャップと付随する蓋用細片とを、通路を引き返させて戻すことができる。これによりプラグが出口ポート内で同じ高さに位置するようになり、中身を漏らすことなく容器を閉じるという必要とされている動作を行うことができる。
【００４０】
容器の中身がほとんど排出されている場合、トトルとして機能するように、容器を逆さにして、容器頭部が接するように安定的に置いてもよい。この結果、容器に残っている中身が最小量であっても、消費者側が過大な労力を費やすことなく、迅速かつ簡便に吐出させることができる。
【００４１】
したがって、本発明は、消費者が容易に開閉することができ、閉じた状態では漏れることなく、かつトトルとしても使用可能な容器用の蓋システムを提供する。
【図１】
0006776268.tif 000002
【図２】
0006776268.tif 000003
【図３】
0006776268.tif 000004
【図４】
0006776268.tif 000005
【図５】
0006776268.tif 000006
【図６】
0006776268.tif 000007